【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
下記を含む親水化製品；
（ａ）疎水性硬質表面を有する基材；並びに
（ｂ）前記基材の前記疎水性表面の少なくとも一部上に配置された親水化層、前記層が、下記を含む；
（ｂ）（Ｉ）下記から選択される有機リン材料；
（ｂ）（Ｉ）（１）次の構造（Ｉ）に従う有機リン化合物；
【化１】
2010529287.tif 000001
（式中、
各Ｒ1及び各Ｒ2は、独立して、存在しないか又はＯであるが、Ｒ1及びＲ2の少なくとも一方はＯであり、
各Ｒ3は、独立して、所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ5及び各Ｒ4は、独立して、存在しないか、あるいは所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ6及びＲ8は、それぞれ、そして各Ｒ7は、独立して、Ｈ若しくは（Ｃ1〜Ｃ30）炭化水素、又は−ＰＯＲ9Ｒ10であり、前記炭化水素は、１つ若しくは２つ以上の炭素原子上に、ヒドロキシル、フッ素、アルキル、アルケニル若しくはアリールにより所望により置換されていてもよく、そして／又は１若しくは２以上の位置のところで、Ｏ，Ｎ若しくはＳヘテロ原子により所望により割り込まれてもよく、
Ｒ9及びＲ10は、それぞれ独立して、ヒドロキシル、アルコキシ、アリールオキシ又は（Ｃ1〜Ｃ30）炭化水素であり、前記炭化水素は、１つ若しくは２つ以上の炭素原子上に、ヒドロキシル、フッ素、アルキル、アルケニル若しくはアリールで所望により置換されていてもよく、そして／又は１若しくは２以上の位置において、Ｏ，Ｎ若しくはＳヘテロ原子により割り込まれてもよく、そして
ｍは、１〜５の整数である）；
（ｂ）（Ｉ）（２）構造（Ｉ）に従う有機リン化合物の塩；
（ｂ）（Ｉ）（３）構造（Ｉ）に従う１種又は２種以上の有機リン化合物の２又は３以上の分子の縮合反応生成物：並びに
（ｂ）（Ｉ）（４）  （ｂ）（Ｉ）（１）、（ｂ）（Ｉ）（２）及び（ｂ）（Ｉ）（３）の、２種又は３種以上の、化合物、塩及び／又は反応生成物を含む混合物。
【請求項２】
前記層が、下記；
（ｂ）（ＩＩ）下記から選択されるビニルアルコール材料；
（ｂ）（ＩＩ）（１）次の構造（Ｉ−ａ）に従うモノマー単位を含むポリマー：
【化２】
2010529287.tif 000002
（ｂ）（ＩＩ）（２）ポリマー（ｂ）（ＩＩ）（１）の塩；
（ｂ）（ＩＩ）（３）１種又は２種以上のポリマー（ｂ）（ＩＩ）（１）の２又は３以上の分子の反応生成物；及び
（ｂ）（ＩＩ）（４）  （ｂ）（ＩＩ）（１）、（ｂ）（ＩＩ）（２）及び（ｂ）（ＩＩ）（３）の、２又は３以上の、ポリマー、塩及び／又は反応生成物を含む混合物：
をさらに含む、請求項１に記載の親水化製品。
【請求項３】
前記層が、界面活性剤をさらに含む、請求項１又は２に記載の親水化製品。
【請求項４】
Ｒ6及びＲ8が、それぞれ、そして各Ｒ7が、独立して、Ｈ、又は−ＰＯＲ9Ｒ10であり、そしてＲ9及びＲ10が、それぞれ独立して、ヒドロキシルである、請求項１〜３のいずれか一項に記載の親水化製品。
【請求項５】
ｍが、２〜５の整数である、請求項１〜４のいずれか一項に記載の親水化製品。
【請求項６】
漂白剤を含まない、請求項１〜５のいずれか一項に記載の親水化製品。
【請求項７】
前記有機リン化合物が、下記；
（Ｘ）（１）次の構造（ＩＸ）に従う有機リン化合物：
【化３】
2010529287.tif 000003
（式中、
ｐは２、３又は４であり、
ｒは４〜５０の数である）；
（ＩＸ）（２）構造（ＩＸ）に従う有機リン化合物の塩；並びに
（ＩＸ）（３）  （ＩＸ）（１）及び（ＩＸ）（２）の、２種又は３種以上の、化合物及び／又は塩を含む混合物：
から選択される、請求項１〜６のいずれか一項に記載の親水化製品。
【請求項８】
疎水性表面の少なくとも一部に親水化層を堆積させるため、前記疎水性表面の少なくとも一部を、下記を含む処理組成物で処理することを含む、前記疎水性表面を有する基材を親水化する方法；
（ａ）界面活性剤；及び
（ｂ）（Ｉ）下記から選択される有機リン材料；
（ｂ）（Ｉ）（１）次の構造（Ｉ）に従う有機リン化合物：
【化４】
2010529287.tif 000004
（式中、
各Ｒ1及び各Ｒ2は、独立して、存在しないか又はＯであるが、Ｒ1及びＲ2の少なくとも一方はＯであり、
各Ｒ3は、独立して、所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ5及び各Ｒ4は、独立して、存在しないか、あるいは所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ6及びＲ8は、それぞれ、そして各Ｒ7は、独立して、Ｈ若しくは（Ｃ1〜Ｃ30）炭化水素、又は−ＰＯＲ9Ｒ10であり、前記炭化水素は、１つ若しくは２つ以上の炭素原子上に、ヒドロキシル、フッ素、アルキル、アルケニル若しくはアリールにより所望により置換されていてもよく、そして／又は１若しくは２以上の位置のところで、Ｏ，Ｎ若しくはＳヘテロ原子により所望により割り込まれてもよく、
Ｒ9及びＲ10は、それぞれ独立して、ヒドロキシル、アルコキシ、アリールオキシ又は（Ｃ1〜Ｃ30）炭化水素であり、前記炭化水素は、１つ若しくは２つ以上の炭素原子上に、ヒドロキシル、フッ素、アルキル、アルケニル若しくはアリールで所望により置換されていてもよく、そして／又は１若しくは２以上の位置において、Ｏ，Ｎ若しくはＳヘテロ原子により割り込まれてもよく、そして
ｍは、１〜５の整数である）；
（ｂ）（Ｉ）（２）構造（Ｉ）に従う有機リン化合物の塩；
（ｂ）（Ｉ）（３）構造（Ｉ）に従う１種又は２種以上の有機リン化合物の２又は３以上の分子の縮合反応生成物：並びに
（ｂ）（Ｉ）（４）  （ｂ）（Ｉ）（１）、（ｂ）（Ｉ）（２）及び（ｂ）（Ｉ）（３）の、２種又は３種以上の、化合物、塩及び／又は反応生成物を含む混合物。
【請求項９】
下記を含む水性又は水性／アルコール性媒体内で、硬質表面を清浄するための組成物；
（ａ）少なくとも１種の界面活性剤；並びに
（ｂ）（Ｉ）下記から選択される有機リン材料；
（ｂ）（Ｉ）（１）次の構造（Ｉ）に従う有機リン化合物：
【化５】
2010529287.tif 000005
（式中、
各Ｒ1及び各Ｒ2は、独立して、存在しないか又はＯであるが、Ｒ1及びＲ2の少なくとも一方はＯであり、
各Ｒ3は、独立して、所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ5及び各Ｒ4は、独立して、存在しないか、あるいは所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ6及びＲ8は、それぞれ、そして各Ｒ7は、独立して、Ｈ若しくは（Ｃ1〜Ｃ30）炭化水素、又は−ＰＯＲ9Ｒ10であり、前記炭化水素は、１つ若しくは２つ以上の炭素原子上に、ヒドロキシル、フッ素、アルキル、アルケニル若しくはアリールにより所望により置換されていてもよく、そして／又は１若しくは２以上の位置のところで、Ｏ，Ｎ若しくはＳヘテロ原子により所望により割り込まれてもよく、
Ｒ9及びＲ10は、それぞれ独立して、ヒドロキシル、アルコキシ、アリールオキシ又は（Ｃ1〜Ｃ30）炭化水素であり、前記炭化水素は、１つ若しくは２つ以上の炭素原子上に、ヒドロキシル、フッ素、アルキル、アルケニル若しくはアリールで所望により置換されていてもよく、そして／又は１若しくは２以上の位置において、Ｏ，Ｎ若しくはＳヘテロ原子により割り込まれてもよく、そして
ｍは、１〜５の整数である）；
（ｂ）（Ｉ）（２）構造（Ｉ）に従う有機リン化合物の塩；
（ｂ）（Ｉ）（３）構造（Ｉ）に従う１種又は２種以上の有機リン化合物の２又は３以上の分子の縮合反応生成物：並びに
（ｂ）（Ｉ）（４）  （ｂ）（Ｉ）（１）、（ｂ）（Ｉ）（２）及び（ｂ）（Ｉ）（３）の、２種又は３種以上の、化合物、塩及び／又は反応生成物を含む混合物。
【請求項１０】
前記有機リン材料が、前記組成物の０．００１〜１０重量％を表し、そして前記少なくとも１種の界面活性剤が、前記組成物の０．００５〜６０重量％を表す、請求項９に記載の組成物。
【請求項１１】
キレート剤、金属イオン封鎖剤又はスケール防止剤、無機洗浄補助剤（ビルダー）、漂白剤、フィラー、漂白触媒、ｐＨに作用する薬剤、混合物の粘度及び／又は泡の安定性を制御することができるポリマー、ヒドロトロープ剤、湿潤剤又は保湿剤、殺生剤又は殺菌剤、清浄又は脱脂活性を有する溶媒、工業用洗浄剤、清浄作用をほとんど有しない水溶性有機溶媒、共溶媒、消泡剤、研磨剤、酵素、芳香剤、着色剤、あるいは金属の腐食を抑制する薬剤から選択される少なくとも１種の添加剤をさらに含む、請求項９に記載の組成物。
【請求項１２】
少なくとも７．５のｐＨを示し、そして０．００１〜５重量％の前記有機リン材料を含む、請求項９に記載の組成物。
【請求項１３】
金属イオン封鎖剤又はスケール防止剤、カチオン性殺生剤又は殺菌剤、界面活性剤、ｐＨ調整剤、水、清浄又は脱脂用有機溶媒、共溶媒、清浄作用をほとんど有しない水溶性有機溶媒、漂白剤及び芳香剤から選択される少なくとも１種の添加剤をさらに含む、請求項９に記載の組成物。
【請求項１４】
キッチンの清浄を目的とする、下記；
０．００１〜１重量％の有機リン材料；
１〜１０重量％の溶媒、特にイソプロパノール；
１〜５重量％の清浄又は脱脂用溶媒、特にブトキシプロパノール；
０〜２重量％のモノエタノールアミン；
０〜１０重量％の少なくとも１種の非カチオン性界面活性剤、好ましくは両性又は非イオン性界面活性剤；
０〜１重量％の、少なくとも１種の、殺菌特性を有するカチオン性界面活性剤；
（一又は複数の前記界面活性剤の総量は、１〜５０重量％を表す）
０〜２重量％の、スケール防止剤としてのジカルボン酸；
０〜５％の漂白剤；及び
７０〜９８重量％の水：
を含む、請求項９に記載の組成物。
【請求項１５】
（ｎ−アルキル）ジメチル（エチルベンジル）アンモニウムクロリド及び（ｎ−アルキル）ジメチルベンジルアンモニウムクロリド）の混合物を含む、少なくとも１種の、殺菌特性を有するカチオン性界面活性剤を０〜１重量％含む、請求項１４に記載の組成物。
【請求項１６】
８〜１２のｐＨを有する、請求項１４又は１５に記載の組成物。
【請求項１７】
５未満のｐＨを有し、そして無機系又は有機系酸性薬剤と、当該無機系又は有機系酸性薬剤の０．００１〜５重量％の前記有機リン材料とを含む、請求項９に記載の組成物。
【請求項１８】
非イオン性、両性、双極性若しくはアニオン性界面活性剤、又はそれらの混合物、カチオン性殺生剤又は殺菌剤、増粘剤、漂白剤、水、溶媒、芳香剤、あるいは研磨剤から選択される少なくとも１種の添加剤をさらに含む、請求項９に記載の組成物。
【請求項１９】
便器の清浄を目的とする、下記；
０．０５〜５重量％の有機リン材料；
０．１〜４０重量％の少なくとも１種の酸性清浄剤；
０．５〜１０重量％の少なくとも１種の界面活性剤；
所望による、０．１〜２重量％の、少なくとも１種の、殺菌特性を有するカチオン性界面活性剤；
所望による、０．１〜３重量％の少なくとも１種の増粘剤；
所望による、１〜１０重量％の少なくとも１種の漂白剤；
所望による、防腐剤、着色剤、芳香剤又は研磨剤；及び
５０〜９５重量％の水；
を含み且つ０．５〜４のｐＨを有する、請求項９に記載の組成物。
【請求項２０】
便器の清浄を目的とする、下記；
０．０１〜２重量％の有機リン材料；
０．５〜１５重量％の少なくとも１種の酸性清浄剤；
０．５〜１０重量％の、少なくとも１種の、アニオン性又は非イオン性界面活性剤；
所望による、０．１〜２重量％の、（ｎ−アルキル）ジメチル（エチルベンジル）アンモニウムクロリド及び（ｎ−アルキル）ジメチルベンジルアンモニウムクロリドの混合物；
所望による、０．１〜３重量％の少なくとも１種のゴム；
所望による、１〜１０重量％の少なくとも１種の漂白剤；
所望による、防腐剤、着色剤、芳香剤又は研磨剤；及び
５０〜９５重量％の水；並びに
最大５のｐＨ：
を含む、請求項９に記載の組成物。
【請求項２１】
窓を清浄するための、下記；
０．００１〜１０重量％の少なくとも１種のポリベタイン（Ｂ）；
０．００５〜２０重量％の少なくとも１種の非イオン性及び／又はアニオン性界面活性剤；
０〜１０重量％の少なくとも１種の両性界面活性剤；
水；
０〜３０重量％の少なくとも１種の溶媒：
を含み且つ６〜１１のｐＨを有する、請求項９に記載の組成物。
【請求項２２】
窓を清浄するための、下記；
０．００５〜３重量％の少なくとも１種のポリベタイン（Ｂ）；
０．５〜１０重量％の少なくとも１種の非イオン性の及び／又はアニオン性界面活性剤；
０．５〜５重量％の少なくとも１種の両性界面活性剤；
水；
０．５〜１５重量％の少なくとも１種の溶媒：
を含み且つ６〜１１のｐＨを有する、請求項９に記載の組成物。
【請求項２３】
自動食器洗浄器内で皿を洗浄するための、下記；
０．０１〜５重量％、有利には０．１〜３重量％の前記有機リン材料；
０．５〜５重量％の少なくとも１種の非イオン性界面活性剤；及び所望による
最大９０重量％の少なくとも１種の洗浄補助剤（ビルダー）；
１〜１０重量％の少なくとも１種の補助清浄剤；
最大３０重量％の、漂白活性剤と併用されてもよく又は併用されなくてもよい、過ホウ酸塩又は過炭酸塩、及びそれらの混合物から成る群から選択される少なくとも１種の漂白剤；
最大５０重量％の、硫酸ナトリウム又は塩化ナトリウムから成る群から選択される少なくとも１種のフィラー：
を含み且つ８〜１３のｐＨを有する、請求項９に記載の組成物。
【請求項２４】
自動食器洗浄器内で皿をすすぐことを目的とし、下記；
０．１〜５重量％の前記有機リン材料；
０．２〜１５重量％の少なくとも１種の非イオン性界面活性剤；
０．５〜５重量％のクエン酸；
０．５〜１０重量％の、アクリル酸及び無水マレイン酸のコポリマー、並びにアクリル酸ホモポリマーを含む、少なくとも１種の補助洗浄性薬剤：
を含み且つ４〜７のｐＨを有する、請求項９に記載の組成物。
【請求項２５】
手により皿を洗浄することを目的とし、下記；
０．１〜１０重量％の前記有機リン材料；
３〜５０重量％の少なくとも１種の界面活性剤；及び所望による
少なくとも１種の非イオン性界面活性剤；
少なくとも１種の、非カチオン性殺細菌剤又は殺菌剤、好ましくはトリクロサン；
少なくとも１種の合成カチオン性ポリマー薬剤；
少なくとも１種の、混合物の粘度及び／又は泡の安定性を制御することができるポリマー；
少なくとも１種のヒドロトロープ剤；
少なくとも１種の、湿潤剤若しくは保湿剤、又は皮膚を保護するための薬剤：
を含み且つ５〜９のｐＨを有する、請求項９に記載の組成物。